(57)【特許請求の範囲】
【請求項１】
座部と背もたれ部とを有し、上記背もたれ部上方へ配置されうる突出部と、上記突出部に連設されて、背もたれ部内に上下方向にスライド可能に配設されたスライド部とを有する椅子付属物を上記背もたれ部において出没可能に支持しうる支持構造部と、上記スライド部が下方へスライドした場合に上記突出部を背もたれ部と一体となるように収納しうる突出部収納部とを有する椅子構造であって、上記背もたれ部内には、上下方向に沿って背もたれ部を固定するフレーム部が設けられ、上記支持構造部は、上記背もたれ部の幅方向において上記フレーム部に当接して設けられていることを特徴とする椅子構造。
【請求項２】
上記支持構造部は上記スライド部をスライド可能に包持するガイド部により形成されていると共に上記スライド部は棒状に形成され、
上記ガイド部は上記フレーム部に当接して配設され、上記スライド部の両側部に当接する側方ガイド部材と、上記スライド部の前方部に当接する前方ガイド部材とを備えていることを特徴とする請求項１記載の椅子構造。
【請求項３】
上記フレーム部は、細長板状に形成されたフレーム部本体と、上記フレーム部本体の先端側において連設された被覆部とにより形成され、上記前方ガイド部材は上記被覆部により形成されていることを特徴とする請求項２記載の椅子構造。
【請求項４】
上記スライド部は上記フレーム部の両側に一対に配置され、上記側方ガイド部材は上記フレーム部に当接して背もたれ部の厚さ方向に沿って配設されると共に長さ方向に連続する壁部により構成されていることを特徴とする請求項２記載の椅子構造。
【請求項５】
上記突出部は上記背もたれ部の幅方向に沿って配設される幅方向延設部により構成されると共に、上記スライド部は上記幅方向延設部から下方に連設されていることを特徴とする請求項１記載の椅子構造。
【請求項６】
上記突出部は上記背もたれ部の幅方向に沿って配設される幅方向延設部により構成され、上記幅方向延設部は衣服を掛けるハンガーとして構成され、基部と、上記基部の両側部に設けられた一対の肩支持部とを有し、上記スライド部は、所定間隔をおいて上記基部に一対に設けられ、上記側方ガイド部材は上記スライド部の側部の略全域に亘って摺動可能に当接する一対のガイド部材からなることを特徴とする請求項２記載の椅子構造。
【請求項７】
上記ハンガーの長さ寸法は上記背もたれ部の幅寸法と同一であって、上記背もたれ部本体の上端部には、上記ハンガーの基部及び肩支持部の幅寸法及び厚さ寸法と同一の幅寸法及び厚さ寸法を有する突出部収納部が設けられ、上記ハンガーの背もたれ部本体への収納時には背もたれ部本体の上縁部と上記ハンガーの上縁部とが一致するように収納されることを特徴とする請求項６記載の椅子構造。
【発明の詳細な説明】
【技術分野】
【０００１】
本発明は、椅子構造に関し、特に、所定の構造物を背もたれ部に配置できる椅子構造に関する。
【背景技術】
【０００２】
一般に、椅子は着座者が着座するのみならず、背もたれ部に様々な付属物を取り付けて使用したい、という場合がある。即ち、例えば、使用者によっては、椅子の背もたれ部に上着等を掛けておけるハンガーを取り付けて使用したいという要請があり、このような要請に応えるものとして、従来より、背もたれ部にハンガーを設けた椅子が提案されていた（特許文献１）
【０００３】
特許文献１に開示された椅子構造にあっては、図８に示すように、背もたれ部９１に上下昇降可能に取り付けられ、背もたれ部９１の上方へ突出して配置されるハンガー９２を備えた椅子９０が開示されている。
【０００４】
この椅子９０にあっては、ハンガー９２は、ハンガー部９３と、ハンガー部９３に直交して垂下するように設けられたスライド部９４とを有し、上記スライド部は、背もたれ部本体９５の裏面側上部に固定されたスライド支持部９６により上下方向にスライド支持可能に配設されており、必要時には、スライド部９４をスライド支持部９６内において上昇させることによりハンガー部９３を背もたれ部９１の上方に突出させ、ハンガー部９３に上着等を掛けることができる。
【０００５】
また、不要時には、スライド部９４をスライド支持部９６内において下降させることにより、ハンガー部９３を背もたれ部９１の上端部に当接するように配置させるように構成されている。
また、この場合、ハンガー部９３の輪郭形状は、背もたれ部９１の上縁部の形状と同様のアールを描いて形成されていることから、ハンガー部９３を背もたれ部９１に違和感なく一体的に配置させることができるようになっている。
【０００６】
しかしながら、このような従来のハンガー９２を備えた椅子９０にあっては、ハンガー９２のスライド部９４をスライド可能に支持するスライド支持部９６は、背もたれ部９１を座部９７に固定する細長板状の固定フレーム９８とは分離され、固定フレーム９８の上方に配置固定されていることから、使用時に背もたれ部９１の上方に配置されたハンガー部９３に所定の重量を有する衣服、例えば、厚手の上着、冬物のコート等が、特に複数着、掛けられたような場合には、掛けられた衣服の重量をスライド部９４を介してスライド支持部９６のみにより支持することとなり、十分に衣服の荷重を支持できず、経年時にはスライド支持部９６に負担がかかり、スライド部９４が円滑に作動しなくなる可能性がある。
【０００７】
また、ハンガー部９３は、収納時には背もたれ部９１の上端部に突出するように配置されるため、背もたれ部９１と同様の輪郭形状に形成されているが、全体として外観品質に欠ける、という不具合もあった。
【０００８】
この点は例えば、特許文献２においては、図９に示すように、ハンガー部９９は、背もたれ部１００の上端部に埋没して一体に配設されるように構成されていることから、上記不具合は解消しているが、特許文献１の開示技術と同様に、スライド支持部１０１は支持フレーム部１０２とは分離されて配設されていることから、前記同様に、使用時に掛けられた上着等が所定重量を有する場合には、前記同様の不具合の可能性があった。  
【０００９】
従って、上記のように、所定の荷重が作用する可能性のある付属構造物であっても安定して支持できると同時に外観品質に優れた椅子が従来より要請されていた。
【特許文献１】特開２００７―７５５８４号公報
【特許文献２】実開平７−１１９６０号公報
【発明の開示】
【発明が解決しようとする課題】
【００１０】
本発明はこのような従来からの不具合を解決するためのものであって、その課題は、所定の荷重が作用する可能性のある椅子付属物を支持できると共に外観品質に優れた椅子構造を提供することにある。
【課題を解決するための手段】
【００１１】
上記課題達成のため、請求項１記載の発明にあっては、座部と背もたれ部とを有し、上記背もたれ部上方へ配置されうる突出部と、上記突出部に連設されて、背もたれ部内に上下方向にスライド可能に配設されたスライド部とを有する椅子付属物を上記背もたれ部において出没可能に支持しうる支持構造部と、上記スライド部が下方へスライドした場合に上記突出部を背もたれ部と一体となるように収納しうる突出部収納部とを有する椅子構造であって、上記背もたれ部内には、上下方向に沿って背もたれ部を座部に固定するフレーム部が設けられ、上記支持構造部は、上記背もたれ部の幅方向において上記フレーム部に当接して設けられていることを特徴とする。
【００１２】
従って、請求項１記載の発明にあっては、上記付属構造物を支持する支持構造部は背もたれ部の上下方向において上記フレーム部と重複して背もたれ部本体に配設されている。
【００１３】
請求項２記載の発明にあっては、上記支持構造部は上記スライド部をスライド可能に包持するガイド部により形成されていると共に上記スライド部は棒状に形成され、上記ガイド部は上記フレーム部に当接して配設され、上記スライド部の両側部に当接する側方ガイド部材と、上記スライド部の前方部に当接する前方ガイド部材とを備えている。  
【００１４】
請求項２記載の発明にあっては、上記スライド部は側方ガイド部材及び前方ガイド部材により包持されてガイドされる。
【００１５】
請求項３記載の発明にあっては、上記フレーム部は、細長板状に形成されたフレーム部本体と、上記フレーム部本体の先端側において連設された被覆部とにより形成され、上記前方ガイド部材は上記被覆部により形成されていることを特徴とする。
【００１６】
請求項４記載の発明にあっては、上記スライド部は上記フレーム部の両側に一対に配置され、上記側方ガイド部材は上記フレーム部に当接して背もたれ部の厚さ方向に沿って配設され、長さ方向に連続する壁部により構成されていることを特徴とする。
【００１７】
請求項５記載の発明にあっては、上記突出部は上記背もたれ部の幅方向に沿って配設される幅方向延設部により構成されると共に、上記スライド部は上記幅方向延設部から下方に連設されていることを特徴とする。
【００１８】
請求項６記載の発明にあっては、上記突出部は上記背もたれ部の幅方向に沿って配設される幅方向延設部により構成され、上記幅方向延設部は衣服を掛けるハンガーとして構成され、基部と、上記基部の両側部に設けられた一対の肩支持部とを有し、上記スライド部は、所定間隔をおいて上記基部に一対に設けられ、上記側方ガイド部材は上記スライド部の側部の略全域に亘って摺動可能に当接する一対のガイド部材からなることを特徴とする。
請求項６記載の発明にあっては、背もたれ部に設けられたハンガーに衣服等を掛けることができる。
【００１９】
請求項７記載の発明にあっては、上記ハンガーの長さ寸法は上記背もたれ部の幅寸法と同一であって、上記背もたれ部本体の上端部には、上記ハンガーの基部及び肩支持部の幅寸法及び厚さ寸法と同一の幅寸法及び厚さ寸法を有する突出部収納部が設けられ、上記ハンガーの背もたれ部本体への収納時には背もたれ部本体の上縁部と上記ハンガーの上縁部とが一致するように収納されることを特徴とする。
【発明の効果】
【００２０】
請求項１記載の発明は、上記背もたれ部上方へ配置されうる突出部と、上記突出部に連設されて、背もたれ部内に上下方向にスライド可能に配設されたスライド部とを有する椅子付属物を上記背もたれ部において出没可能に支持しうる支持構造部と、上記スライド部が下方へスライドした場合に上記突出部を背もたれ部と一体となるように収納しうる突出部収納部とを有する椅子構造であって、上記背もたれ部内には、上下方向に沿って背もたれ部を座部に固定するフレーム部が設けられ、上記支持構造部は、上記背もたれ部の幅方向において上記フレーム部に当接して設けられており、上記付属構造物を支持する支持構造部は背もたれ部の上下方向において上記フレーム部と重複して背もたれ部本体に配設されていることから、上記椅子付属物に発生する荷重は、支持構造部から背もたれ部本体を介して上記フレーム部により支持されることから、椅子付属物に発生する荷重が上記支持構造部に作用した場合であっても、確実に荷重を受け止めることができる。
【００２１】
請求項２記載の発明にあっては、上記支持構造部は上記スライド部をスライド可能に包持するガイド部により形成され、上記ガイド部は上記フレーム部に当接して配設されていることから、上記ガイド部に作用する荷重は上記フレーム部により支持され、椅子付属物に発生する荷重が上記支持構造部に作用した場合であっても、確実に荷重を受け止めることができる。
【００２２】
また、上記スライド部は棒状に形成されると共に上記ガイド部は記フレーム部に当接して配設され、上記スライド部の両側部に当接する側方ガイド部材と、上記スライド部の前方部に当接する前方ガイド部材とを備えており、上記スライド部は側方ガイド部材及び前方ガイド部材により包持されてガイドされることから、上記スライド部は、側方のみならず前方をガイド部により被覆されるため確実にガイドされる。
【００２３】
請求項３記載の発明にあっては、上記フレーム部は、細長板状に形成されたフレーム部本体と、上記フレーム部本体の先端側において連設された被覆部とにより形成され、上記前方ガイド部材は上記被覆部により形成されていることから、上記スライド部に作用する背もたれ部の厚さ方向に作用する荷重は上記被覆部により支持されることから付属構造物に作用する荷重は確実に支持される。
【００２４】
請求項４記載の発明にあっては、上記スライド部は上記フレーム部の両側に一対に配置され、上記側方ガイド部材は上記フレーム部に当接して背もたれ部の厚さ方向に沿って配設され、長さ方向に連続する壁部により構成されていることから、上記スライド部は両側方を側方ガイド部材により当接してガイドされることから、上記スライド部はより確実にガイドされる。
【００２５】
請求項６記載の発明にあっては、背もたれ部に設けられたハンガーに衣服等を掛けることができ、ハンガーに掛けられた衣服等が所定の荷重を有する場合にも安定して支持することができる椅子構造を提供することができる。
【００２６】
請求項７記載の発明にあっては、ハンガーの背もたれ部への収納時には、背もたれ部の輪郭形状に沿わせてハンガーを収納することができるため、外観品質に優れた、ハンガー付きの椅子構造を提供することができる。
【図面の簡単な説明】
【００２７】
【図１】本発明に係る椅子構造が適用された椅子の一実施の形態を正面側から示す斜視図である。
【図２】本発明に係る椅子構造が適用された椅子の一実施の形態を背面側から示す斜視図である。
【図３】本発明に係る椅子構造が適用された椅子の一実施の形態を示し、背もたれ部本体のみをクッション材を取り外した状態で示す斜視図である。
【図４】本発明に係る椅子構造が適用された椅子の一実施の形態を示し、付属構造物であるハンガーを示す斜視図である。
【図５】本発明に係る椅子構造が適用された椅子の一実施の形態を示し、座部本体及び背もたれ部本体を、クッション材を取り外した状態で示す斜視図である。
【図６】本発明に係る椅子構造が適用された椅子の一実施の形態を示し、背もたれ部本体を、ハンガーを引き出した状態で示す斜視図である。
【図７】本発明に係る椅子構造が適用された椅子の一実施の形態を示し、図７のVII‐VII線断面図である。
【図８】従来のハンガー付の椅子を示す斜視図である。
【図９】従来のハンガー付の椅子を示す斜視図である。
【発明を実施するための最良の形態】
【００２８】
以下、添付図面に示す実施の形態に基づき、本発明を、椅子付属物としてハンガーを採用した場合を例に詳細に説明する。
図１には、本実施の形態に係る椅子構造が適用される椅子１０が示されている。椅子１０は、接地面に載置される円盤部１１を有する脚部１２と、脚部１２の上端部に固定された座部１３と、後述のフレーム部を介して脚部１２の上端部に座部１３と共に固定された背もたれ部１４とを備えている。
座部１３は、座部本体２８と座部本体の上部に固定されたクッション部１５とを有すると共に、背もたれ部１４は、背もたれ部本体２２と、背もたれ部本体２２の前面部に固定されたクッション部１６とを有している。
図２に示すように、背もたれ部１４の形状は、着座者の肩が当接する上部１４ａは幅広に形成され、同一幅寸法で下方へ連続し、着座者の腰が当接する部位１４ｂに至った場合には、幅狭になるようにラウンド状の輪郭形状に杭れて形成されており、下端部は座部１３の後端部を被覆してやや下方に配置され、全体として座部１３に比して大型に形成されている。
【００２９】
図４に示すように、本実施の形態にあっては、背もたれ部本体２２には、上記背もたれ部１４上方へ配置されうる突出部としてのハンガー本体１７と、上記突出部１７に連設されて、背もたれ部１４内に上下方向にスライド可能に配設された２本の棒状スライド部１８、１８とを有する椅子付属物としてのハンガー１９が設けられている。
【００３０】
ハンガー１９は全体が合成樹脂製であって、ハンガー本体１７と、ハンガー本体１７の上縁部にハンガー本体１７よりも大きな幅寸法に形成された衣服支持部３２とを有している。
図４に示すように、ハンガー本体１７は、基部２９と、上記基部２９の両側部に設けられた一対の肩支持部３０、３０とを有している。図１及び図２に示すように、上記ハンガー１９の長さ寸法は上記背もたれ部本体２２の幅寸法と同一に形成されている。
【００３１】
図１〜図３に示すように、ハンガー本体１７の上縁部１７ａは、肩支持部３０、３０に相当する部位は背もたれ部本体２２の本体部２２ａの上縁部の輪郭形状と同一の輪郭形状に形成されると共に、ハンガー本体１７の下縁部は直線状に形成されている。
また、衣服支持部３２の基部２２の相当部は上方にやや膨出して、裏面部に凹部（図示せず）を有する引出部３３が形成されており、必要時には、引出部３３を凹部を介して指で引っ掛けて、ハンガー１９を背もたれ部１４の上方へ引き出すように構成されている。
【００３２】
図４に示すように、２本の棒状スライド部１８、１８は、基部２９の下端部においてハンガー本体１７に直交して延設されており、夫々、断面方形状の角柱状部材として形成されている。
棒状スライド部１８、１８は、背もたれ部本体２２が脚部１２に固定された場合に先端部が座部１３に達する長さ寸法に形成されており、その結果、背もたれ部本体２２の高さ方向の略全域に亘って配設されている。
また、長さ方向中間部には２本のスライドリブ３５、３５が、夫々、形成されており、後述の前方ガイド部２６と当接しつつスライドしうるように構成されている。また、棒状スライド部１８、１８の下端部は、前部にかけて厚さ方向にテーパ状となるように形成され、さらに、前端部には係合爪部３６、３６が突設されており、ハンガー１９を上方へ引き上げた際には、後述の前方ガイド部２６の係合孔部３４、３４に係合してハンガー本体１７を所定の高さ位置には支持するように構成されている。
【００３３】
図３に示すように、背もたれ部本体２２は、合成樹脂の一体成型による、上面部が開放された全体薄型箱状のフレーム材として構成され、背もたれ部本体２２内には、ハンガー１９を上記背もたれ部本体２２において出没可能に支持しうる支持構造部２０と、上記２本の棒状スライド部１８が下方へスライドした場合に上記突出部としてのハンガー本体１７を背もたれ部１４と一体となるように収納しうる突出部収納部２１とを有している。上記支持構造部２０は、上記棒状スライド部１８、１８をスライド可能に包持するガイド部２３により形成されている。
【００３４】
本実施の形態にあっては、背もたれ部本体２２の幅方向中央部には細長板状の金属製であって側面Ｌ字状に折曲形成されたバネフレーム材２４が配設され、背もたれ部本体２２はこのバネフレーム材２４を介して脚部１２に固定されており、遊技者は着座時に、バネフレーム材２４の前後方向における弾力性及び可撓性により着座姿勢に余裕を持つことが出来る。
【００３５】
図３に示すように、上記ガイド部２３はバネフレーム材２４の幅方向において、バネフレーム材２４に当接して一対に配設されており、上記棒状スライド部１８、１８の両側部に当接する側方ガイド部材２５、２５と、上記棒状スライド部１８、１８の前方部に当接する前方ガイド部２６とを備えている。側方ガイド部材２５、２５は、細長板状の一対のガイド片２５ａ、２５ｂからなり、棒状スライド部１８を内部に収納しうる幅寸法を置いて配設されている。ガイド片２５ａ、２５ｂは、棒状スライド部１８、１８の長さ寸法と略同一に形成され、背もたれ部本体２２の背面板部２２ｂから前面方向に向かって直角に突設されている。
【００３６】
図３に示すように、前方ガイド部２６は、金属製であって平面方形の板状部材からなり、側方ガイド部材２５、２５の上部において前面部を被覆しうるように一対の側方ガイド部材２５、２５上に亘って、バネフレーム材２４に固定して配設されている。前方ガイド部２６の下部の幅方向両端部には、横長長方形状の係合孔部３４、３４が開設され、ハンガー１９が上方へ引き出された場合には、棒状スライド部１８、１８の係合爪部３６、３６の下端部と係合して、ハンガー本体１７を所定の高さ位置に固定しうるように構成されている。
また、背もたれ部本体２２には、複数個所に亘って、クッション部１６を固定するクリップ状のクッション固定部２７が設けられている。
【００３７】
また、本実施の形態にあっては、図１及び図７に示すように、背もたれ部本体２２は、本体部２２ａと、本体部２２ａの裏面側に上下方向に沿って突設されたスライド部収納部２２ｃとにより構成されている。
スライド部収納部２２ｃは、図７に示すように、全体が厚さ寸法の小さな板状部材として形成され、上端部は本体部２２ａの上縁部のやや下方に配置され、図２に示すように、本体部２２ａの幅寸法よりもやや小さな幅寸法に形成された上部１４ａと、徐々に幅寸法が小さく形成された湾曲部４１と、湾曲部４１に連続する、小さな幅寸法を有する小径部４２とを有しており、下端部は本体部２２ａの下端部に配置され、本体部２２ａの上下方向の略全域に亘って、本体部２２ａとデザイン的な一体感を以て設けられている。
【００３８】
その結果、図７に示すように、ハンガー１９の棒状スライド部１８、１８は、スライド部収納部２２ｃの上半部３７と本体部２２ａ下半部３８との間に厚さ方向に貫通して上下方向に沿ってスライド可能に配設されている。
また、スライド部収納部２２ｃの上端部と本体部２２ａの背面部との間にハンガー本体１７の突出部収納部２１が形成されている。突出部収納部２１は、ハンガー本体１７が一体的に収納できるように、ハンガー本体１７の幅寸法と同一の段部として形成されている。
【００３９】
以下、本実施の形態に係る椅子構造の作用について説明する。
図３及び図５に示すように、常態時においては、ハンガー１９は、背もたれ部１４内において、棒状スライド部１８、１８がガイド部２３内に収納され、ハンガー本体１７が突出部収納部２１内に収納されている。
【００４０】
この場合、上記のように、ハンガー本体１７の上縁部１７ａは、肩支持部３０、３０に相当する部位は背もたれ部本体２２の本体部２２ａの上縁部の輪郭形状と同一の輪郭形状に形成されていることから、ハンガー１９の収納状態においてはハンガー１９の肩支持部３０、３０は本体部２２ａの上縁部２２ｄ、２２ｄと面一に配置されていると共に幅方向中央部には引出部３３が本体部２２ａの上方に突出配置されていることから、良好なデザイン的一体感を醸し出すことができる。
【００４１】
この状態において、ハンガー１９の棒状スライド部１８、１８は、夫々、上部前方を前方ガイド部２６により被覆された状態で、ガイド片２５ａ、２５ｂの間に収納されている。
次に、必要時、例えば、遊技者が上着、コート等を脱いた状態で遊技を行うことを希望する場合には、遊技者は、引出部３３に指を掛けて上方へ引き上げる。この場合、棒状スライド部１８、１８は、側方ガイド部２６を構成する夫々、ガイド片２５ａ、２５ｂ、及び前方ガイド部２５により、夫々、側方及び前方をガイドされた状態で上方へスライド動作する。
【００４２】
その後、図６及び図７に示すように、棒状スライド部１８、１８の下端部に形成された係合爪部３６、３６が前方ガイド部２６の係合孔部３４、３４の部位にまで至った場合には、ハンガー１９のハンガー本体１７を後方へやや倒して棒状スライド部１８、１８を斜めに傾け、下端部の係合爪部３６、３６を係合孔部３４、３４の下端部に係合させる。これにより、棒状スライド部１８、１８は前方ガイド部２６により支持されて、ハンガー本体１７は背もたれ部本体２２の上方の所定の高さ位置に配置された状態で固定される。
【００４３】
従って、遊技者は、この状態において、ハンガー本体１７に上着、コート、マフラー、レインコート等を、家庭においてハンガーに掛ける状態と同様の状態で掛けておくことができる。従って、上半身が身軽な状態で遊技に快適に長時間に亘って集中することができる。
本実施の形態にあっては、図３及び図５に示すように、棒状スライド部１８、１８が背もたれ部本体２２の長さ寸法よりもやや短い程度の長さ寸法を有していることから、背もたれ部本体２２の上方のかなりの高さ位置にハンガー本体１７を配置することができるため、例えば、長いコートを掛けた場合であっても、裾が遊技場の床面に付かない状態で掛けておくことが可能となる。
【００４４】
また、図６及び図７に示すように、ハンガー１９の突出状態において、棒状スライド部１８、１８を直接に支持する前方ガイド部２６は、一端部が脚部１２に固定されたバネフレーム材２４に固定されていることから、ハンガー本体１７に所定の重量の衣料品が掛けられた場合であっても、衣料品の荷重を椅子１０の構造材である脚部１２により確実に支持することができる。
【００４５】
また、側方ガイド部２５、２５は、バネフレーム材２４に幅方向において当接して設けられていることから、ハンガー１９が引き出されて所定の重量の衣服等が掛けられた場合に、棒状スライド部１８、１８へ幅方向の作用する荷重が発生した場合であっても、バネフレーム材２４により確実に支持することができ、横方向のブレを規制することができるため、衣料品の安定した支持を行うことが可能となる。
なお、本実施の形態にあっては、椅子付属物がハンガー１９である場合を例に説明したが、本実施の形態に限定されず、背もたれ部２２の上方へ突出させて支持する構成のものであれば種類を問わない。
【産業上の利用可能性】
【００４６】
本発明は広く椅子に適用することができるため、産業上の利用可能性を有している。
【符号の説明】
【００４７】
１０  椅子  
１１  円盤部
１２  脚部
１３  座部
１４  背もたれ部
１４ａ  上部
１４ｂ  腰が当接する部位
１５  クッション部
１６  クッション部
１７  ハンガー本体（突出部）
１７ａ  上縁部
１８  棒状スライド部
１９  ハンガー（椅子付属物）
２０  支持構造部
２１  突出部収納部
２２  背もたれ部本体
２２ａ  本体部
２２ｂ  背面板部
２２ｃ  スライド部収納部
２２ｄ  上縁部
２３  ガイド部
２４  フレーム部（バネフレーム材）
２５  側方ガイド部（側方ガイド部材）
２５ａ  ガイド片
２５ｂ  ガイド片
２６  前方ガイド部（前方ガイド部材）
２７  クッション固定部
２８  座部本体
２９  基部
３０  肩支持部
３２  衣服支持部
３３  引出部
３４  係合孔部
３５  スライドリブ
３６  係合爪部
３７  上半部
３８  下半部
４１  湾曲部
４２  小径部
９０  椅子
９１  背もたれ部
９２  ハンガー
９３  ハンガー部本体
９４  スライド部
９５  背もたれ部本体
９６  スライド支持部
９７  座部
９８  固定フレーム
９９  ハンガー部本体
１００  背もたれ部
１０１  スライド支持部
１０２  支持フレーム部
【要約】      （修正有）【課題】所定の荷重が作用する可能性のある椅子付属物を支持できると共に外観品質に優れた椅子構造を提供する。【解決手段】座部と背もたれ部とを有し、上記背もたれ部上方へ配置されうる突出部１７と、上記突出部に連設されて、背もたれ部内に上下方向にスライド可能に配設されたスライド部１８とを有する椅子付属物を上記背もたれ部において出没可能に支持しうる支持構造部と、上記スライド部が下方へスライドした場合に上記突出部を背もたれ部と一体となるように収納しうる突出部収納部とを有する椅子構造であって、上記背もたれ部内には、上下方向に沿って背もたれ部を座部に固定するフレーム部２４が設けられ、上記支持構造部は、上記背もたれ部の幅方向において上記フレーム部に隣接して設けられている。【選択図】図６【図１】
0005763812.tif 000002
【図２】
0005763812.tif 000003
【図３】
0005763812.tif 000004
【図４】
0005763812.tif 000005
【図５】
0005763812.tif 000006
【図６】
0005763812.tif 000007
【図７】
0005763812.tif 000008
【図８】
0005763812.tif 000009
【図９】
0005763812.tif 000010